(57)【特許請求の範囲】
【請求項１】
多数枚の円板状体を収容自在な容器部と、前記容器部に収容されている前記円板状体を１枚ずつ繰り出す装置本体と、前記容器部に収容されている前記円板状体から電荷を逃がすアース部とを備えた円板状体繰出装置であって、
前記容器部と前記装置本体とは、連結機構によって着脱自在に連結してあり、
前記アース部は、前記容器部に取り付けられた第１アース部と、前記装置本体に取り付けられた第２アース部とを当接自在に設けて構成してあり、前記第１アース部と第２アース部との当接力を強める方向に付勢力を作用させる付勢機構が設けられ、前記付勢機構は、前記第１アース部と前記第２アース部との何れか一方に導通状態に取り付けられるコイルスプリングを備えて構成してあり、前記コイルスプリングが取り付けられた一方のアース部には、前記コイルスプリングを外嵌させる芯部を設け、前記芯部の先端部には、前記容器部と前記装置本体との連結操作に伴って、他方のアース部を、前記コイルスプリングの先端に誘導する誘導凹部が形成されている円板状体繰出装置。
【請求項２】
前記第１アース部の下端部に位置する端子部が、略Ｖ字形に屈曲形成したバネ性を備えた帯板部から構成されているとともに、前記第２アース部に設けられた前記芯部の誘導凹部が、前記第１アース部の端子部を受入自在な略Ｖ字状に構成されている請求項１記載の円板状体繰出装置。
【請求項３】
多数枚の円板状体を収容自在な容器部と、前記容器部に収容されている前記円板状体を１枚ずつ繰り出す装置本体と、前記容器部に収容されている前記円板状体から電荷を逃がすアース部とを備えた円板状体繰出装置であって、
前記容器部と前記装置本体とは、連結機構によって着脱自在に連結してあり、
前記アース部は、前記容器部に取り付けられた第１アース部と、前記装置本体に取り付けられた第２アース部とを当接自在に設けて構成してあり、前記第１アース部と第２アース部との当接力を強める方向に付勢力を作用させる付勢機構が設けられ、前記付勢機構は、前記第１アース部と前記第２アース部との何れか一方に導通状態に取り付けられるコイルスプリングを備えて構成してあり、前記コイルスプリングが取り付けられた一方のアース部には、前記コイルスプリングを外嵌させる芯部が導通状態で設けられ、前記第１アース部と前記第２アース部との当接部が、前記コイルスプリングを経由する第１導電経路と前記芯部を経由する第２導電経路とから構成されている円板状体繰出装置。
【発明の詳細な説明】
【技術分野】
【０００１】
本発明は、例えば、通貨であるコイン或いは遊技設備で使用される代用貨幣（メダルやトークン等）などの円板状体を一枚ずつ繰り出す円板状体繰出装置に関し、詳しくは、多数枚の円板状体を収容自在な容器部と、前記容器部に収容されている前記円板状体を１枚ずつ繰り出す装置本体と、前記容器部に収容されている前記円板状体から電荷を逃がすアース部とを備えた円板状体繰出装置に関する。
【背景技術】
【０００２】
従来、この種の円板状体繰出装置においては、容器部内の円板状体を装置本体から連続して繰り出すに伴って、容器部に残っている円板状体は、容器部内から装置本体の繰出部側に移動するが、その過程で、円板状体と容器部内周面との摩擦による大量の静電気が発生する。静電気は、電気ノイズとして機器の信号ラインに悪影響を与える危険性があることから、静電気を取り除くためにアース部を設けることが必要となる。
従来の円板状体繰出装置としては、連結機構によって装置本体の上に容器部が着脱自在に構成され、アース部としては、容器部に固着された金属板製の第１アース部と、その第１アース部に対応する状態で装置本体に固着された金属板製の第２アース部とを設けて構成してあるものがあった（例えば、特許文献１参照）。
第１アース部は、容器部の内周面に露出して円板状体と接触可能な状態に形成された露出板部と、その露出板部から容器部の下面に沿って回り込む状態に屈曲した回り込み板部とで構成され、第２アース部は、装置本体に容器部を取り付けた状態で前記回り込み板部が接触する位置に固着された受け板部を備えて構成され、受け板部はグランド側にアース可能に構成されている。
従って、装置本体に容器部を取り付ければ、第２アース部の受け板部に、第１アース部の回り込み板部が面接触して、一連の導電経路が形成される。
【先行技術文献】
【特許文献】
【０００３】
【特許文献１】特開２００５−３１６８９５号公報（段落番号〔００２４〕〜〔００２７〕）
【発明の概要】
【発明が解決しようとする課題】
【０００４】
上述した従来の円板状体繰出装置によれば、装置本体に容器部を取り付けることで、第１アース部が第２アース部に面接触するように構成されているわけであるから、装置本体と容器部と第１アース部と第２アース部とのそれぞれの位置関係が、正常に保たれ、第１アース部と第２アース部とが確実に面接当していることでアース部が機能することになる。
従って、装置本体や容器部、及び、それらの連結機構、及び、第１アース部や第２アース部のそれぞれに、高い寸法精度や取付精度が要求される。
仮に、何れかの寸法精度が低かったり、取付姿勢に狂いがあったら、第１アース部と第２アース部との接触不良を生じる虞があり、その結果、安定したアース作用が期待し難くなる。
また、この種の装置においては、円板状体の繰り出し動作に伴って振動が発生する可能性が高く、この振動によって、何れかの部位に緩みが生じる虞もあるから、仮に、各部の寸法精度や取付精度が高かったにしても、前記緩みによって第１アース部と第２アース部との接触不良が発生する虞もある。
即ち、従来の円板状体繰出装置によれば、何れにしても、安定したアース作用が期待しにくい問題点がある。
【０００５】
従って、本発明の目的は、上記問題点を解消し、安定したアース作用を期待できる円板状体繰出装置を提供するところにある。
【課題を解決するための手段】
【０００６】
多数枚の円板状体を収容自在な容器部と、前記容器部に収容されている前記円板状体を１枚ずつ繰り出す装置本体と、前記容器部に収容されている前記円板状体から電荷を逃がすアース部とを備えた円板状体繰出装置であって、前記容器部と前記装置本体とは、連結機構によって着脱自在に連結してあり、前記アース部は、前記容器部に取り付けられた第１アース部と、前記装置本体に取り付けられた第２アース部とを当接自在に設けて構成してあり、前記第１アース部と第２アース部との当接力を強める方向に付勢力を作用させる付勢機構が設けられている。
【０００７】
上記構成によれば、容器部と装置本体とは、連結機構によって着脱自在に連結してあるから、装置本体と容器部とを簡単に着脱することができ、良好な取扱性を確保できることに加えて、前記付勢機構による付勢力で、第１アース部と第２アース部との当接力が強められ、良好な導通性能を確保できるから、安定したアース作用を期待できるようになる。
即ち、第１アース部と第２アース部とは、容器部と装置本体との連結状態においては、相対的な位置関係が多少変化しようとも、前記付勢機構によって当接状態が維持されるから、装置本体や容器部、及び、それらの連結機構、及び、第１アース部や第２アース部等に、従来のような高い寸法精度や取付精度が確保されなくても、安定したアース作用が期待できる。その結果、アース作用を確保しながら、装置の製作コストの低減を図ることが可能となる。
この作用効果は、例えば、当該装置に振動が発生する場合にも有効で、装置の何れかの部位に多少の緩みが生じたにしても、前記付勢機構によって第１アース部と第２アース部との導通性能を確保して、安定したアース作用を維持することができる。
【０００８】
前記第１アース部と前記第２アース部との当接部は、複数の導電経路を備えている。
【０００９】
上記構成によれば、第１アース部と第２アース部との当接が複数箇所によって確保されるから、仮に、当該装置に振動が発生したり、大きな衝撃が加わる等、何等かの原因で、何れかの導電経路が断たれたにしても、残りの導電経路が導通していれば、アース作用を維持することができ、アース部全体として導通性能を維持できる確率が向上する。
【００１０】
前記連結機構は、前記容器部と前記装置本体との連結状態を維持自在なロック部を備えて構成してあり、前記付勢機構は、その付勢力が、前記ロック部のロック解除に伴って前記容器部と前記装置本体とを連結解除方向に作用するように設けられている。
【００１１】
上記構成によれば、ロック部によって、容器部と装置本体との連結状態を、確実に維持することができながら、ロック部のロック解除操作を行うに伴って、前記連結状態では第１アース部と第２アース部との当接力を強める作用を担っている付勢機構が、容器部と装置本体とを連結解除する方向にその付勢力を作用させることができる。
従って、例えば、ロック部を解除操作すると、自動的に、容器部と装置本体とを僅かに離間させて、両者のくっつき防止を図ったり、容器部と装置本体との取り外し操作を、より小さな力で（軽く）、且つ、簡単に行えるようになる。
また、上述のように、アース部での当接力の付与と、容器部と装置本体との連結解除力の付与との両方を、付勢機構によって兼用化が図られているので、部品点数を少なくできると共に、装置としてのコストダウンを図ることが可能となる。
【００１２】
前記付勢機構は、前記第１アース部と前記第２アース部との何れか一方に導通状態に取り付けられるコイルスプリングを備えて構成してあり、前記コイルスプリングが取り付けられた一方のアース部には、前記コイルスプリングを外嵌させる芯部を設け、前記芯部の先端部には、前記容器部と前記装置本体との連結操作に伴って、他方のアース部を、前記コイルスプリングの先端に誘導する誘導凹部が形成してある。
【００１３】
上記構成によれば、一方のアース部に備えた芯部によって、コイルスプリングをその内周部から支持して、付勢機構としてのコイルスプリングの姿勢安定を図ることができると共に、芯部の先端部の誘導凹部によって、他方のアース部を、コイルスプリングの先端に導いて、両者の確実な導通を図ることができる。
従って、コイルスプリングによって、付勢機構としての機能と、一方のアース部と他方のアース部との間で一つの導電経路を構成する機能との両方の役割を担っている。
因みに、当接部での導電経路は、コイルスプリングを経由する導電経路と、一方のアース部の誘導凹部と他方のアース部とにわたる導電経路との両方が確保される。
そして、本発明の第１の特徴構成は、多数枚の円板状体を収容自在な容器部と、前記容器部に収容されている前記円板状体を１枚ずつ繰り出す装置本体と、前記容器部に収容されている前記円板状体から電荷を逃がすアース部とを備えた円板状体繰出装置であって、
前記容器部と前記装置本体とは、連結機構によって着脱自在に連結してあり、
前記アース部は、前記容器部に取り付けられた第１アース部と、前記装置本体に取り付けられた第２アース部とを当接自在に設けて構成してあり、前記第１アース部と第２アース部との当接力を強める方向に付勢力を作用させる付勢機構が設けられ、前記付勢機構は、前記第１アース部と前記第２アース部との何れか一方に導通状態に取り付けられるコイルスプリングを備えて構成してあり、前記コイルスプリングが取り付けられた一方のアース部には、前記コイルスプリングを外嵌させる芯部を設け、前記芯部の先端部には、前記容器部と前記装置本体との連結操作に伴って、他方のアース部を、前記コイルスプリングの先端に誘導する誘導凹部が形成されている点にある。
本発明の第２の特徴構成は、前記第１アース部の下端部に位置する端子部が、略Ｖ字形に屈曲形成したバネ性を備えた帯板部から構成されているとともに、前記第２アース部に設けられた前記芯部の誘導凹部が、前記第１アース部の端子部を受入自在な略Ｖ字状に構成されている点にある。
本発明の第３の特徴構成は、多数枚の円板状体を収容自在な容器部と、前記容器部に収容されている前記円板状体を１枚ずつ繰り出す装置本体と、前記容器部に収容されている前記円板状体から電荷を逃がすアース部とを備えた円板状体繰出装置であって、
前記容器部と前記装置本体とは、連結機構によって着脱自在に連結してあり、
前記アース部は、前記容器部に取り付けられた第１アース部と、前記装置本体に取り付けられた第２アース部とを当接自在に設けて構成してあり、前記第１アース部と第２アース部との当接力を強める方向に付勢力を作用させる付勢機構が設けられ、前記付勢機構は、前記第１アース部と前記第２アース部との何れか一方に導通状態に取り付けられるコイルスプリングを備えて構成してあり、前記コイルスプリングが取り付けられた一方のアース部には、前記コイルスプリングを外嵌させる芯部が導通状態で設けられ、前記第１アース部と前記第２アース部との当接部が、前記コイルスプリングを経由する第１導電経路と前記芯部を経由する第２導電経路とから構成されている点にある。
【図面の簡単な説明】
【００１４】
【図１】コイン繰出装置の分解斜視図
【図２】コイン繰出装置の側面視断面図
【図３】装置本体の要部の平面視断面図
【図４】連結機構の連結状態を示すコイン繰出装置の側面視断面図
【図５】アース部の分解斜視図
【図６】連結機構の連結解除状態を示すコイン繰出装置の側面視断面図
【発明を実施するための形態】
【００１５】
以下に本発明の実施の形態を図面に基づいて説明する。
図１、図２は、本発明の円板状体繰出装置の一実施形態であるコイン繰出装置Ｋを示している。
当該コイン繰出装置Ｋは、通貨であるコイン或いは遊技設備で使用される代用貨幣（メダルやトークン等）などの円板状体（以後、単にコインという）１を（図２参照）、１枚ずつ繰出ながら、その枚数を測定できるように構成されており、単独で使用したり、例えば、スロットマシーン等の遊戯機器、又は、他の機器に組み込んで使用することが可能である。
【００１６】
コイン繰出装置Ｋは、多数枚のコイン１を収容自在なホッパー形状の容器部２と、容器部２に収容されているコイン１を１枚ずつ繰り出す装置本体３と、容器部２に収容されているコイン１から電荷を逃がすアース部４とを備えて構成してある。
容器部２は、装置本体３の上に設置してあり、これら両者は、連結機構５によって着脱自在に連結してある。
当該実施形態においては、前記連結機構５は、図４、図６に示すように、容器部２と装置本体３とを遠近方向に沿って揺動自在に枢支するヒンジ部６と、ヒンジ部６周りに容器部２と装置本体３とを近接させて合わせた状態を維持自在なロック部７とを備えて構成してある。
【００１７】
また、アース部４は、容器部２に取り付けられた金属製の第１アース部４Ａと、装置本体３に取り付けられた金属製の第２アース部４Ｂとを当接自在に設けて構成してあり、第１アース部４Ａと第２アース部４Ｂとを経由した電荷は、アース部４の下端部から、図には示さない金属製の設置台等に放出することができる。
【００１８】
以下、コイン繰出装置Ｋの各部について詳しく説明する。
【００１９】
容器部２は、合成樹脂によって形成してあり、図１、図２に示すように、すり鉢状の底部２Ａと、その底部２Ａの外周縁部の全周にわたって立ち上がる矩形筒形状の周壁部２Ｂとを一体的に備えて構成してある。
前記底部２Ａの略中央部分には、円形の穴８が形成してある。この穴８は、装置本体３の繰出用円板１０（後述）の寸法に合わせて形成してあり、容器部２を装置本体３に取り付けた状態で、穴８内に繰出用円板１０が臨むように配置されている。
従って、容器部２内に収容されたコイン１は、すり鉢状の底部２Ａの傾斜面に沿って穴８に誘導され、繰出用円板１０に取り込まれて１枚ずつ装置外に繰り出される。
また、底部２Ａの一部には、第１アース部４Ａが上下に貫通する状態に設けてあり、第１アース部４Ａの上端板部９が、底部２Ａの表面に沿う状態に配置されている。従って、この上端板部９からアース部４を通して、容器部２内のコイン１に溜まった電荷を取り除くことができる。
【００２０】
また、底部２Ａの一方の辺部には、ヒンジ軸６ａと軸受け部６ｂとから構成される前記ヒンジ部６の軸受け部６ｂが設けられている。軸受け部６ｂは、辺の長手方向に間隔をあけて２ヵ所に設けてあり、装置本体３に形成されたヒンジ軸６ａに対して、径方向に沿って着脱できるように構成されている。
また、底部２Ａの前記一方の辺部に対向する他方の辺部には、一対のロック爪７ａ，７ｂで構成される前記ロック部７の一方のロック爪７ａが設けられている。ロック爪７ａは、辺の長手方向に間隔をあけて２ヵ所に設けてあり、装置本体３に形成された他方のロック爪７ｂと係合することで装置本体３に対して容器部２が離間しないようにロックできるように構成されている（図４参照）。
【００２１】
装置本体３は、図１〜３に示すように、矩形筒形状の周壁部３Ａと、その周壁部３Ａの上部開口を塞ぐ状態に取り付けられた繰出機構部３Ｂとを設けて構成してある。
繰出機構部３Ｂは、矩形形状に形成してあり、その中央部には、前記繰出用円板１０が、縦軸芯周りに回転駆動自在に設けてあり、繰出用円板１０から繰出機構部３Ｂの一辺に向けてコイン繰出通路１１が設けてある。
繰出用円板１０は、周方向に間隔をあけて複数のコイン嵌入用凹部１０ａが設けてあり、このコイン嵌入用凹部１０ａに、コイン１が嵌り込み、繰出用円板１０の回転によって、コイン繰出通路１１まで移送される。
繰出機構部３Ｂは、コイン繰出通路１１まで達したコイン１をコイン繰出通路１１を通して装置外に１枚ずつ繰り出すことができるように構成されている。また、コイン１の繰出枚数をカウントできるようにも構成されている。
【００２２】
また、繰出機構部３Ｂの一方の辺部には、前記ヒンジ部６のヒンジ軸６ａが設けられている。ヒンジ軸６ａは、前記容器部２に備えた一対の軸受け部６ｂに対応する位置に設けられている。
また、繰出機構部３Ｂの前記一方の辺部に対向する他方の辺部には、前記ロック部７の他方のロック爪７ｂが設けられている。他方のロック爪７ｂは、前記容器部２に備えた一対のロック爪７ａに対応する位置に設けられている。
但し、他方のロック爪７ｂは、一方のロック爪７ａとの係合準備状態と係合状態とにスライドできるように構成してあると共に、係合が深まる方向に他方のロック爪７ｂを付勢するスプリングＨも設けられている。
従って、装置本体３のヒンジ軸６ａに、容器部２の前記軸受け部６ｂを係合させて、ヒンジ軸６ａ周りに容器部２を下方へ揺動させ、装置本体３のロック爪７ｂに対して容器部２のロック爪７ａを押し下げると、付勢力が作用しているロック爪７ｂをロック爪７ａが乗り越えて係合準備状態から係合状態になり、両者をロックすることができる。
また、スプリングの付勢力とは反対側にロック爪７ｂを戻すことで、係合準備状態となり、両者をロック解除することができる。
【００２３】
アース部４は、前述のとおり、第１アース部４Ａと、第２アース部４Ｂとの２部材によって構成してある。
第１アース部４Ａは、図５に示すように、上端部の上端板部９と、その下方に延びる帯板状の埋設部１２と、下端部に位置する端子部１３とを一体に設けて構成してある。
上端板部９は、前述のとおり、底部２Ａの上面と面一状態に配置されている。
埋設部１２は、垂直部１２ａと、その下端部で横方向に屈曲する屈曲部１２ｂとを備えており、屈曲部１２ｂには、第１アース部４Ａを容器部２に固定するネジ部材１４を挿通自在なネジ挿通孔１２ｃが設けられている。
端子部１３は、第２アース部４Ｂとの当接部Ｊとなる部分であり（図４参照）、屈曲部１２ｂから下方に伸びる断面形状略「Ｖ」字形状に屈曲形成したバネ性を備えた帯板部で構成してある。
尚、第１アース部４Ａは、底部２Ａの下方から合成樹脂製のキャップ部材１５を被し
（図５参照）、前記端子部１３のみが下方に見える状態で、前記ネジ部材１４を使用して容器部２の下面に固定してある。
【００２４】
第２アース部４Ｂは、上端部に配置されて前記端子部１３を受入自在な略「Ｖ」字形状の切欠部（誘導凹部の一例）１６ａを備えた端子部（芯部の一例）１６と、その下端部で横方向に屈曲する屈曲部１７と、屈曲部１７から下方に延びて周壁部３Ａに内接する内接部１８と、内接部１８の下端部から屈曲して下方の設置台等に接触する接地部１９とを一体に備えて構成してある。
第２アース部４Ｂは、内接部１８を、装置本体３の周壁部３Ａに対して沿わせた状態でネジ部材２０によって固定してあり、第１端子部１６は、繰出機構部３Ｂに形成された窓部２１内に位置している（図１参照）。
【００２５】
また、帯板形状の端子部１６には、図４に示すように、金属製のコイルスプリング２２が外嵌させてある。端子部１６の幅寸法は、コイルスプリング２２の内径寸法と略同じ寸法に設定してある。また、端子部１６の基端部は、帯板の両側縁部にそれぞれ切欠き１６ｂが形成してあり、この切欠き１６ｂにコイルスプリング２２の下端の縮径部分が嵌合させてある。コイルスプリング２２は、下端部を切欠き１６ｂに嵌合させた状態で、上端部が、端子部１６の切欠部１６ａの下端より上に位置するように寸法設定してある。
従って、装置本体３に対する容器部２の取付操作に伴って、第１アース部４Ａの端子部１３が、第２アース部４Ｂの切欠部１６ａに進入し、その際、端子部１３の下縁部は、コイルスプリング２２の上端部の２点に接触すると共に、端子部１３の板面部は、切欠部１６ａの内周部の２点に接触し、合計４点で接触することになる。
即ち、コイルスプリング２２の上端部も端子部としての機能を果たしており、第１アース部４Ａと第２アース部４Ｂとの当接部Ｊにおいては、端子部１３からコイルスプリング２２の上端部を経由して第２アース部４Ｂの下方に導通する第１導電経路と、端子部１３から切欠部１６ａの内周部を経由して第２アース部４Ｂの下方に導通する第２導電経路との二つが備わっている。
【００２６】
そして、第１導電経路においては、「Ｖ」字形状の端子部１３が切欠部１６ａに進入するに伴って屈曲部分の交差角度が小さくなるように弾性変形するから、端子部１３の弾性復元力によって切欠き部１６ａへの当接力が強まる。バネ性を付与してある端子部１３は、本発明に係る付勢機構Ｓに相当する。
一方、第２導電経路においては、端子部１３が切欠き部１６ａに進入するに伴ってコイルスプリング２２は端子部１３に押圧されて収縮方向に弾性変形するから、コイルスプリング２２の弾性復元力によって端子部１３への当接力が強まる。よって、コイルスプリング２２も付勢機構Ｓに相当する。
【００２７】
また、これらの付勢機構Ｓは、装置本体３と容器部２との連結機構５に対して、連結解除方向に付勢力が作用するように設けられているから、ロック部７のロック解除操作を行うに伴って、自動的に、図６に示すように、容器部２は装置本体３に対して僅かに離間し、取り外しやすくなり取扱性が向上する。
【００２８】
本実施形態のコイン繰出装置Ｋによれば、装置本体３に対して容器部２を簡単に着脱することができ、しかも、両者の取付操作によって、第１アース部４Ａと第２アース部４Ｂとが強く当接し、安定したアース作用を経済的に実現することができる。またそのアース作用は、装置が振動を受けても安定的に維持することができる。
【００２９】
〔別実施形態〕
以下に他の実施の形態を説明する。
【００３０】
〈１〉  当該円板状体繰出装置は、先の実施形態で説明したコイン繰出装置に限るものではなく、広い範囲の円板状体（通貨であるコイン或いは遊技設備で使用される代用貨幣
（メダルやトークン等））を繰り出すように構成されたものを含む。
また、容器部２や装置本体３やアース部４の詳細な構成も、先の実施形態に限定されるものではない。
〈２〉  第１アース部４Ａと第２アース部４Ｂとは、先の実施形態で説明した構成に限るものではなく、容器部２や装置本体３の仕様に合わせて、形状等の変更が可能である。
例えば、両者の当接部Ｊは、先の実施形態で説明した２つの導電経路を備えたものに限るものではなく、例えば、３つ以上備えていたり、単独の導電経路で構成してあってもよい。
〈３〉  付勢手段Ｓは、先の実施形態で説明したコイルスプリング２２と、端子部１３との両方を備えたものに限るものではなく、例えば、何れか一方を備えた構成であってもよい。また、詳細な構成は、コイルスプリングや板バネ以外にも、弾性復元力やシリンダ機構等によって付勢力を生み出すものであってもよい。
また、付勢手段Ｓは、アース部４どうしの当設部Ｊに組み込まれる構成に限らず、例えば、アース部４の基端部や中間部等に組み込んだり、それ以外の部分に備えるものであってもよい。更には、容器部２と装置本体３との何れか一方、又は、両方に備えるものであってもよい。
〈４〉  連結機構５は、先の実施形態で説明したヒンジ部６とロック部７とによる構成に限るものではなく、適宜、公知の機構を採用することができる。
【００３１】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００３２】
１      円板状体（以後、単にコインという）
２      容器部
３      装置本体
４      アース部
４Ａ    第１アース部
４Ｂ    第２アース部
５      連結機構
７      ロック部
１６    端子部（芯部の一例）
１６ａ  切欠部（誘導凹部の一例）
２２    コイルスプリング（付勢機構に相当）
Ｊ      当接部
Ｓ      付勢機構
【図１】
0005463520.tif 000002
【図２】
0005463520.tif 000003
【図３】
0005463520.tif 000004
【図４】
0005463520.tif 000005
【図５】
0005463520.tif 000006
【図６】
0005463520.tif 000007